(57)【特許請求の範囲】
【請求項１】
複数の変動セル規制時間を有するユーザ機器であって、
セルについてのセル選択を試みて、前記セルが規制される場合に、前記セルに関連付けられる規制理由を取得するように構成される第１回路と、
ルックアップテーブルと、
前記規制理由、複数のユーザ機器特性、及び複数のネットワークコンポーネント特性に少なくとも部分的に基づいて前記ルックアップテーブルを参照し、前記複数のユーザ機器特性及び前記複数のネットワークコンポーネント特性ごとに特性ごとの規制時間を計算し、複数の前記特性ごとの規制時間を加算して、変動規制時間を決定し、前記ルックアップテーブルに複数の前記特性ごとの規制時間を列挙及び格納する、第２回路と、
前記決定される規制時間の間、前記セルを規制する、第３回路と
を備えるユーザ機器。
【請求項２】
前記ルックアップテーブルは、前記複数のユーザ機器特性及び前記複数のネットワークコンポーネント特性ごとに予め定められた規制時間からの複数のオフセットを格納し、
前記変動規制時間は、前記予め定められた規制時間からの前記複数のオフセットに基づいて計算される、請求項１に記載のユーザ機器。
【請求項３】
前記特性ごとの規制時間は、前記複数のユーザ機器特性及び前記複数のネットワークコンポーネント特性ごとに割り当てられた重みづけをした加算により計算される、請求項１または２に記載のユーザ機器。
【請求項４】
前記複数のユーザ機器特性及び前記複数のネットワークコンポーネント特性が、前記セルが適切に動作していないことを示す場合、前記変動規制時間は、予め定められた規制時間より長い規制時間に決定される、請求項１から３のいずれか一項に記載のユーザ機器。
【請求項５】
前記第１回路は、更に、前記決定される規制時間の間待った後に、前記セルについてのセル再選択を試みる、請求項１から４のいずれか一項に記載のユーザ機器。
【請求項６】
前記規制理由は、前記セルが前記ユーザ機器のカテゴリをサポートしていないことを含む、請求項１から４のいずれか一項に記載のユーザ機器。
【請求項７】
前記決定される規制時間は、予め定められた規制時間よりも長い、請求項１から４のいずれか一項に記載のユーザ機器。
【請求項８】
前記規制理由は、前記ユーザ機器がカテゴリ０で動作し、かつ、前記セルが前記カテゴリ０をサポートしていないことを含む、請求項１から４のいずれか一項に記載のユーザ機器。
【請求項９】
前記複数のユーザ機器特性及び前記複数のネットワークコンポーネント特性は、前記ユーザ機器が公共の安全デバイスであることを含む、請求項１から８のいずれか一項に記載のユーザ機器。
【請求項１０】
前記決定される規制時間は、予め定められた規制時間よりも短い、請求項１から８のいずれか一項に記載のユーザ機器。
【請求項１１】
前記複数のユーザ機器特性及び前記複数のネットワークコンポーネント特性は、複数の固定の特性を含む、請求項１から８のいずれか一項に記載のユーザ機器。
【請求項１２】
前記複数のユーザ機器特性及び前記複数のネットワークコンポーネント特性は、前記ユーザ機器に対するサービスのカテゴリを含む、請求項１から８のいずれか一項に記載のユーザ機器。
【請求項１３】
前記複数のユーザ機器特性及び前記複数のネットワークコンポーネント特性は、前記ユーザ機器のモビリティ状態を含む、請求項１から８のいずれか一項に記載のユーザ機器。
【請求項１４】
複数の変動セル規制時間を有する通信システムであって、
無線ネットワークコンポーネントから、複数のネットワークコンポーネント特性及び認められる複数の規制時間の列挙リストを含む、システム情報を受信する回路と、
セルについてのセル選択を試みるように構成される制御ユニットと、
前記セルが規制される場合に、規制理由、複数のユーザ機器特性及び前記複数のネットワークコンポーネント特性に少なくとも部分的に基づいて、前記列挙リストを参照し、前記複数のユーザ機器特性及び前記複数のネットワークコンポーネント特性ごとに特性ごとの規制時間を計算し、複数の前記特性ごとの規制時間を加算することにより、変動規制時間を生成する、規制時間決定器であって、複数の前記特性ごとの規制時間を前記列挙リストに列挙及び格納する、規制時間決定器と、
を備えるシステム。
【請求項１５】
前記列挙リストは、前記複数のユーザ機器特性及び前記複数のネットワークコンポーネント特性ごとに予め定められた規制時間からの複数のオフセットを格納し、
前記変動規制時間は、前記予め定められた規制時間からの前記複数のオフセットに基づいて計算される、請求項１４に記載のシステム。
【請求項１６】
前記複数のネットワークコンポーネント特性は、ユーザ機器のカテゴリがサポートされていないことを示す、請求項１４または１５に記載のシステム。
【請求項１７】
前記複数のネットワークコンポーネント特性は、ユーザ機器の動作周波数が前記無線ネットワークコンポーネントによりサポートされていないことを示す、請求項１４または１５に記載のシステム。
【請求項１８】
前記変動規制時間は、前記複数のネットワークコンポーネント特性内で特定されるデフォルト値のネットワーク値より小さい、請求項１４から１７のいずれか一項に記載のシステム。
【請求項１９】
プロセッサに、
ユーザ機器によりセルを選択することを試みる手順と、
前記セルを規制するか否かを決定する手順と、
前記セルを規制する場合に、規制情報を生成する手順と、
複数のユーザ機器特性、複数のネットワークコンポーネント特性、及び前記規制情報に基づいて、ルックアップテーブルを参照し、前記複数のユーザ機器特性及び前記複数のネットワークコンポーネント特性ごとに特性ごとの規制時間を計算し、複数の前記特性ごとの規制時間を加算して、変動規制時間を生成する手順と
前記ルックアップテーブルに複数の前記特性ごとの規制時間を列挙及び格納する、手順と、
を実行させるためのプログラム。
【請求項２０】
前記ルックアップテーブルは、前記複数のユーザ機器特性及び前記複数のネットワークコンポーネント特性ごとに予め定められた規制時間からの複数のオフセットを格納し、
前記変動規制時間は、前記予め定められた規制時間からの前記複数のオフセットに基づいて計算される、請求項１９に記載のプログラム。
【請求項２１】
前記ユーザ機器は、関連するユーザ機器のカテゴリを有する、請求項１９または２０に記載のプログラム。
【請求項２２】
応答情報は、無線ネットワークコンポーネントに関連するシステム情報を含む、請求項１９から２１のいずれか一項に記載のプログラム。
【請求項２３】
請求項１９から２２のいずれか一項に記載のプログラムを格納するコンピュータ可読記憶媒体。
【請求項２４】
通信のためのセルを選択することを試み、
前記セルを規制するか否かを決定し、
前記セルが規制される場合、規制情報を決定し、
複数のユーザ機器特性、複数のネットワークコンポーネント特性及び前記規制情報に基づいて、ルックアップテーブルを参照し、前記複数のユーザ機器特性及び前記複数のネットワークコンポーネント特性ごとに特性ごとの規制時間を計算し、複数の前記特性ごとの規制時間を加算して、変動規制時間を生成し、
前記ルックアップテーブルに複数の前記特性ごとの規制時間を列挙及び格納する、
回路を備えるユーザ機器。
【請求項２５】
前記ルックアップテーブルは、前記複数のユーザ機器特性及び前記複数のネットワークコンポーネント特性ごとに予め定められた規制時間からの複数のオフセットを格納し、
前記変動規制時間は、前記予め定められた規制時間からの前記複数のオフセットに基づいて計算される、請求項２４に記載の回路。
【請求項２６】
前記セルを選択するための前記試みは、関連するユーザ機器のカテゴリを有する、請求項２４または２５に記載の回路。
【請求項２７】
応答情報は、システム情報を含む、請求項２４から２６のいずれか一項に記載の回路。
【発明の詳細な説明】
【背景技術】
【０００１】
通信システムは、複数のセルの配置から成り、各セルは、典型的には基地局と称されるネットワークノードに関連付けられる。複数の通信デバイスは、通信について、セル（又は、場合によって１より多いセル）との関連性に依存する。モバイルデバイスは、セルを選択又は再選択することを試み、選択又は再選択は、成功又は失敗し得る。成功した場合、選択又は再選択されたセルは、デバイスによる通信に用いられ得る。失敗した場合、当該失敗は、セルが規制されるとも称され、当該セルを用いることができない。しかしながら、ＵＥは、後でセルを選択又は再選択することを試みることができる。
【０００２】
モバイルデバイスは、セルを選択又は再選択することを再び試みる前に、一定の期間を待たなければならない。一定の期間を待つことは、通信性能を低下させ得る。
【０００３】
必要とされることは、セル選択に対する性能を向上させる技術である。
［関連出願］
本願は、２０１４年７月２８日に出願された米国仮出願第６２／０２９，９４４号の継続出願である。
【図面の簡単な説明】
【０００４】
【図１】複数の変動セル規制時間を用いるように構成される無線デバイスを示すブロック図である。
【０００５】
【図２】複数の変動セル規制時間を用いるように構成される通信システム配置を示す図である。
【０００６】
【図３】複数の変動セル規制時間を用いるように構成される通信システム配置を示す図である。
【０００７】
【図４Ａ】システム情報がカテゴリ規制時間を含む配置を示す図である。
【０００８】
【図４Ｂ】システム情報がカテゴリ規制時間を省略する配置を示す図である。
【０００９】
【図５】ユーザ機器がサポートする複数の周波数を分析することを含む複数の変動規制時間を決定する方法を示すフロー図である。
【００１０】
【図６】複数の変動セル規制時間を用いる方法を示すフロー図である。
【００１１】
【図７】適宜構成されるハードウェア及び／又はソフトウェアシステムの例を示すブロック図である。
【発明を実施するための形態】
【００１２】
本開示のシステム及び方法は、添付の複数の図面を参照しながら説明され、同様の参照符号は、全体を通じて同様の要素を指すように用いられ、示される構造及びデバイスは、必ずしも縮尺に合わせて描かれていない。
【００１３】
主題のイノベーションは、複数の図面を参照してここで説明され、同様の参照符号は、全体を通じて同様の要素を指すように用いられる。以下の説明において、説明の目的のために、様々な具体的な詳細が全体的な理解を提供すべく記述される。しかしながら、本開示の複数の実施形態がこれらの具体的な詳細とは関係なく実施され得ることが明らかとなり得る。他の複数の例において、周知の構造及びデバイスは、本開示の複数の実施形態を説明することを容易にすべくブロック図の形式で示される。
【００１４】
本願で用いられるように、「コンポーネント」、「プラットフォーム」等の用語は、コンピュータ関連エンティティ、若しくは、１又は複数の特定の機能を有する動作可能な機械に関連するエンティティを指すことが意図される。本明細書に開示されるエンティティは、ハードウェア、ハードウェア及びソフトウェアの組み合わせ、ソフトウェア、又は実行中のソフトウェアのいずれかであり得る。例えば、コンポーネントは、プロセッサ上で動作する処理、プロセッサ、オブジェクト、実行ファイル、実行のスレッド、プログラム、及び／又は、コンピュータであってよいが、これらに限定されない。例示として、サーバ上で動作するアプリケーション及びサーバの両方がコンポーネントであってよい。１又は複数のコンポーネントは、処理及び／又は実行のスレッド内に存在してよく、コンポーネントは、１つのコンピュータ上に局在化され、及び／又は、２又はそれより多いコンピュータ間で分散されてよい。また、これらのコンポーネントは、そこに格納される様々なデータ構造を有する様々なコンピュータ可読媒体から実行できる。当該コンポーネントは、１又は複数のデータパケット（例えば、ローカルシステム、分散システムにおいて、及び／又は、信号を介して他のシステムを有するインターネットのようなネットワークをわたって、別のコンポーネントとインタラクトする１つのコンポーネントからのデータ）を有する信号に従うようなローカル及び／又はリモート処理を介して通信してよい。
【００１５】
加えて、「又は」という用語は、排他的な「又は」よりもむしろ包括的な「又は」を意味することが意図される。すなわち、特に指定がない限り、又は、文脈から明らかでない限り、「Ｘは、Ａ又はＢを採用する」という表現は、自然で包括的な複数の置換のうちのいずれかを意味することが意図される。すなわち、ＸがＡを採用する場合、ＸがＢを採用する場合、又は、ＸがＡ及びＢの両方を採用する場合、「Ｘは、Ａ又はＢを採用する」という表現は、前述の複数の例のうちのいずれかの下で満たされる。更に、当該明細書及び付属の図面で用いられる冠詞「ａ」及び「ａｎ」は、特に指定がない限り、又は、単数形を対象にすべきことが文脈から明らかでない限り、「１又は複数」を意味するものと概して解釈されるべきである。
【００１６】
更に、「ユーザ機器」、「移動局」、「モバイル」、「加入者ステーション」、「アクセス端末」、「端末」、「ハンドセット」のような用語及び類似の用語は、データ、制御、音声、ビデオ、音、ゲーム、又は、実質的に任意のデータストリーム若しくはシグナリングストリームを受信又は伝達する無線通信サービスの加入者又はユーザにより利用される無線デバイスを指す。前述の用語は、当該明細書及び関連する図面において交換可能に利用される。同様に、「アクセスポイント」、「基地局」、「ノードＢ」、「進化型ノードＢ」、「ホームノードＢ（ＨＮＢ）」等の用語は、当該出願において交換可能に利用され、かつ、これらの用語は、加入者ステーションのセットからデータ、制御、音声、ビデオ、音、ゲーム、又は、実質的に任意のデータストリーム若しくはシグナリングストリームをサービス提供及び受信する無線ネットワークコンポーネント又はアプライアンスを指す。データ及びシグナリングストリームは、パケット化され、又は、フレームベースのフローであってよい。
【００１７】
更に、「ユーザ」、「加入者」、「顧客」、「消費者」、「プロシューマ」、「エージェント」等の用語は、文脈が用語の間の特別な（複数の）差異を認めない限り、当該明細書の全体を通じて交換可能に採用される。本明細書で利用されるように、「プロシューマ」という用語は、プロフェッショナル−コンシューマ、及び、プロデューサ−コンシューマの略語を示す。
【００１８】
以下の略称は、当該明細書に関連する。
３Ｇ  第３世代
４Ｇ  第４世代
３ＧＰＰ  第３世代パートナーシッププロジェクト
ＡＧＰＳ  アシスト型ＧＰＳ
ＡＰ  アクセスポイント
ＡＤＳＬ  非対称デジタル加入者線
ＡＷＳ  進化型無線サービス
ＢＲＡＳ  ブロードバンドリモートアクセスサーバ
ＢＴＡ  基本的な取引地域
ＣＮ  コアネットワーク
ＣＳ  回線交換
ＣＳＣＦ  通話セッション制御機能
ＣＰＥ  顧客構内設備
ＣＰＮ  顧客構内ネットワーク
ＤＨＣＰ  動的ホスト構成プロトコル
ＤＳＬ  デジタル加入者線
ＤＳＬＡＭ  デジタル加入者線アクセスマルチプレクサ
Ｅ９１１  エンハンスド９１１
Ｅ−ＵＴＲＡＮ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ
ＦＣＣ  連邦通信委員会
ＦＬ  転送リンク
ＧＧＳＮ  ゲートウェイＧＰＲＳサービスノード
ＧＰＲＳ  汎用パケット無線サービス
ＧＰＳ  グローバルポジショニングシステム
ＧＷ  ゲートウェイ
ＨＡＰ  ホームアクセスポイント
ＨＳＳ  ホーム加入者サーバ
ＩＳＤＮ  サービス総合デジタル網
ＵＥ  ユーザ機器
ＵＴＲＡＮ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ
ＩＭＳ  ＩＰマルチメディアサブシステム
ＩＰ  インターネットプロトコル
ＩＳＰ  インターネットサービスプロバイダ
ＬＴＥ  ロングタームエボリューション
ＭＳＡ  大都市統計地域
ＭＳＩＳＤＮ  モバイル加入者ＩＳＤＮ番号
ＭＴＡ  主要取引地域
ＮＡＴ  ネットワークアドレス変換
ＮＴＰ  ネットワークタイムプロトコル
Ｏ＆Ｍ  運用・保守
ＰＣ  パーソナルコンピュータ
ＰＣＳ  パーソナル通信サービス
ＰＳ  パケット交換
ＰＳＴＮ  公衆交換電話網
ＲＡＮ  無線アクセスネットワーク
ＲＢＳ  無線基地局
ＲＬ  逆方向リンク
ＲＮＣ  無線ネットワークコントローラ
ＲＳＡ  ルーラルサービスエリア
ＳＧＳＮ  サービングＧＰＲＳサポートノード
ＳＩＰ  セッション確立プロトコル
ＵＳＳＤ  非構造化付加サービスデータ
ＶＰＮ  仮想プライベートネットワーク
ＷＡＰ  無線アプリケーションプロトコル
ＸＤＳＬ  非対称ＤＳＬ、又は、対象ＤＳＬ
【００１９】
図１は、複数の変動セル規制時間を用いるように構成される無線デバイス１００を示すブロック図である。デバイス１００は、理解を容易にすべく簡略化された形式で説明される。追加のコンポーネント及び変形が予期されることが理解される。無線デバイス１００は、別のデバイス、配置、コンポーネント等に組み込まれ得る。一例において、無線デバイス１００は、ＵＥである。
【００２０】
他のアプローチにおいて、セルを選択又は再選択する試みが成功しなかった場合、セルは、一定の又はデフォルトの予め定められた期間の間、規制される。例えば、プロトコル又は規格が予め定められている規制時間を提供又は割り当ててよい。いくつかの状況によっては、一定の予め定められた規制時間を用いることは、当該一定の時間が長すぎる場合に通信の不足をもたらし得る。他の状況において、一定の規制時間が短過ぎる場合、ユーザ機器は、成功する可能性が低いにもかかわらず、頻繁にセルを選択又は再選択することを試みる。ここで、不必要な電力が消費される。
【００２１】
無線デバイス１００は、制御ユニット１０２、規制時間決定器１０４、ルックアップテーブル１０８及び送信（ＴＸ）／受信（ＲＸ）回路１０８を含む。制御ユニット１０２は、セル選択、再選択及び／又はセルの選択を規制することに関連付けられる複数の動作を実行するように構成される。制御ユニット１０２は、ＴＸ／ＲＸ回路１０８を介してセルを選択又は再選択することを試みるように構成される。ＴＸ／ＲＸ回路１０８は、セルを選択又は再選択することの試みに関連付けられるデータ／イベントを含むデータを送信及び受信するための回路を含む。
【００２２】
セルを選択又は再選択することの試みは、成功又は失敗し得る。成功した場合、選択されるセルは、通信に用いられ得る。制御ユニット１０２は、回路を含むことが可能であり、及び／又は、回路内に実装されることが可能である。したがって、制御ユニット１０２は、特定用途向け集積回路、電子回路、メモリを有するプロセッサ等の一部であってよく、又は、これらを含んでよい。
【００２３】
他の例において、セルを選択又は再選択することの試みが失敗する可能性があり、これは、デバイス１００がこのセルを用いることが許可されないことを意味する。試みは、例えば、システム情報が利用可能でない、セルカテゴリ、上位レイヤ情報、ＵＥ特性、ＵＥ状態、セルのサイズ等を含む、いくつかの理由のために失敗する可能性がある。失敗した試みの当該理由は、規制理由及び／又は規制情報とも称される。
【００２４】
制御ユニット１０２は、典型的に、規制理由／情報をＴＸ／ＲＸ回路１０８から受信し、かつ、イベント１１０の一部として規制理由を提供するように構成される。規制時間決定器１０４は、イベント１１０を受信し、当該イベント１１０に少なくとも部分的に基づいて規制時間１１４を決定する。規制時間決定器１０４は、規制時間１１４を提供し、規制時間１１４は、制御ユニット１０２により受信される。制御ユニット１０２は、セルを選択又は再選択することを試みる前に、規制時間１１４の間待つように構成されるので、決定される規制時間１１４が経過する前におけるセルの使用を防止する。規制時間決定器１０４が別個のコンポーネントとして示されるが、規制時間決定器１０４の機能は、制御ユニット１０２に組み込まれ得ることが理解される。
【００２５】
規制時間１１４は、イベント１１０に対する時間の値とも称される。規制時間１１４は、デバイス１００が再びセルを選択又は再選択することを試みることができない期間である。
【００２６】
規制時間決定器１０４は、予め定められたイベント、複数のユーザ機器特性、ユーザ機器の種類、複数の特徴、複数の状態等を含むが、これらに限定されない、複数のユーザ機器特性に基づいて規制時間１１４を決定するように構成される。代わりに、又は、加えて、規制時間決定器１０４は、また、複数の内部ネットワークアスペクト、セルのサイズ、複数のネットワーク優先度等を含むが、これらに限定されない、複数のネットワークコンポーネント特性に基づいて規制時間１１４を決定するように構成される。複数のユーザ機器特性及び複数のネットワークコンポーネント特性は、典型的には、セル応答情報としてイベント１１０と共に提供される。
【００２７】
規制時間決定器１０４は、デフォルト規制時間を有し、デフォルト規制時間は、実装によって変化し得る。例えば、デフォルト規制時間は、３００秒であってよいが、他の時間が可能である。複数のユーザ機器特性及び／又は複数のネットワークコンポーネント特性が規制時間の変化をもたらさない場合、デフォルト規制時間は、規制時間１１４として提供され得る。変化をもたらす場合、規制時間決定器１０４は、複数のユーザ機器特性及び／又は複数のネットワークコンポーネント特性を用いて、規制時間１１４を決定する。規制時間決定器１０４が複数の特性を利用して、ルックアップテーブル１０６を参照し、適切な情報を取得し得ることが理解される。複数のユーザ機器特性の様々な例、及び、デフォルト規制時間からの例示的な変化が以下に提供される。
【００２８】
無線デバイス１００が選択又は再選択することを試みているセルからのカテゴリ情報は、そのセルによってサポートされる複数のＵＥのカテゴリを示す。複数のＵＥのカテゴリは、典型的に、データレートを含む性能についての複数のレベルを示す。カテゴリ１２のような、より高いカテゴリは、カテゴリ０のような低いカテゴリよりも高いデータレートを含む、より高い性能を有する。カテゴリ０は、低い性能、低いデータレートかつ低いコストのカテゴリであり、リモート監視のような特定のマシンツーマシンタイプのアプリケーションで用いられる複数のＵＥに適する可能性がある。セルは、全てのＵＥのカテゴリとの通信をサポートしなくてよく、例えば、カテゴリ０が仕様書に規定される前に、セルが開発されていた可能性があるので、セルは、カテゴリ０のＵＥとの通信をサポートしないかもしれない。セルからのカテゴリ情報は、システム情報でブロードキャストされてよく、セルが、カテゴリ０の複数のＵＥをサポートする、又は、サポートしないことを示してよい。セルからのカテゴリ情報が、必要なＵＥのカテゴリがサポートされていないことを示す場合、サポート状態が短い時間で変化する可能性が低いかもしないので、デフォルト規制時間よりも長い規制時間が適用され得る。したがって、この例において、規制レート決定器１０４は、５００秒若しくは１０００秒又は１時間のような長い値に規制時間１１４を設定する。説明ではカテゴリ０の例を用いているが、同様の事例が、まだ規定されていない将来のカテゴリに適用され得る。
【００２９】
システム情報は、セルから／セルに関連してブロードキャストされ、そのセルに関連する様々なネットワーク特性を反映又は含み得る。情報は、セル識別、セル規制状態、セル状態、クローズ加入者グループ（ＣＳＧ）表示、ＣＳＧ識別、イントラ周波数選択等を含み得る。示されるように、システム情報は、セルが規制されることを示し得る。そのような状況において、規制時間決定器１０４は、より長い規制時間が適切であることを決定してよい。他の例において、システム情報は、不十分な及び／又は失った情報であり得る。そのような状況は、要求されるセルが適切に動作していない可能性を示す。規制時間決定器１０４は、典型的に、この状況のために、規制時間１１４をデフォルト規制時間よりも長く延ばす。
【００３０】
１つのネットワーク特性は、セルの周波数帯域であり、かつ、システム情報の一部として典型的に提供される。周波数帯域は、セルが属する利用可能な又はサポートされる複数の周波数の範囲を示す。１つのユーザ機器特性は、ユーザ機器がサポートする複数の周波数帯域のセットである。セルの周波数帯域が、ＵＥによりサポートされる複数の周波数帯域のセットに属していない場合、ＵＥは、セルへのアクセスが許可されず、セルが規制されるものとして扱われることを決定する。この状況において、デバイス１００は、デフォルト規制時間とは異なる規制時間を適用してよい。典型的には、この状況は、規制時間が満了した際に変化した可能性が低いので、規制時間は、デフォルト規制時間よりも長くてよい。
【００３１】
上位レイヤ情報又はトリガは、要求されるセルに問題があることを示し得る。上位レイヤトリガは、例えば、セル又はネットワークが本物でないことを示し得る、デバイス１００がネットワークを認証することに失敗したことを含み得る。上位レイヤトリガは、一例において、デバイス１００に、セルを規制されたものとして扱わせ、規制時間決定器１０４に、デフォルト規制時間とは異なる規制時間１１４を生成させ得る。
【００３２】
複数のユーザ機器特性の他の例は、ユーザ機器の複数の固定の特性又は態様を含む。したがって、これらの特性は、時間の経過と共に変化しない。例えば、複数の固定の特性は、極めて長いバッテリ寿命を有することが求められるバッテリ式のデバイスの場合、優先事項として電力消費を示してよく、電力消費を軽減すべくより長い規制時間をもたらす。他の例として、固定の特性は、デバイスが公共の安全デバイスであることであってよい。この公共の安全特性について、セルを高速に取得し、通信を確立することが優先事項であり、結果として、より短い規制時間が好まれ得る。
【００３３】
複数のユーザ機器の状態は、特定の状態に従って規制時間を要求又は示唆する複数の特性である。例えば、低モビリティ状態は、ユーザ機器が静止している、又は、低モビリティであることを示す。結果として、無線デバイス１００に利用可能な複数のセルは、比較的変化がない可能性が高い。典型的には、規制されるセルは、規制されたままである可能性が高いので、より長い規制時間が低モビリティ状態に用いられてよい。一方、高モビリティ状態は、ユーザ機器の移動性が高いことを示す。したがって、無線デバイス１００にとって利用可能な複数のセルは、急速に変化しており、より短い規制時間が役立つ。
【００３４】
複数のネットワークコンポーネント特性は、規制時間１１４の生成において、規制時間決定器１０４により考慮されてもよい。上述したように、複数のネットワークコンポーネント特性は、セルのサイズ、ネットワーク優先度、ネットワーク仕様書に基づくネットワークルール、モビリティ等を含む。
【００３５】
規制時間決定器１０４は、規制時間１１４を決定するときに、１又は複数のユーザ機器特性及び／又はネットワークコンポーネント特性を考慮し得る。複数の特性が考慮される場合、決定器は、規制時間１１４を発展させるべく、複数の特性に重みを割り当てる。他の例において、規制時間決定器１０４は、各特定されたＵＥ特性及び／又はネットワークコンポーネント特性に従ってデフォルト規制時間からの複数のオフセットを計算し、複数のオフセットを加算して、無線デバイス１００に対するオフセット全体を決定し得る。複数のオフセットは、ルックアップテーブル１０６に列挙及び格納され得る。
【００３６】
規制時間決定器１０４は、適切なメカニズムを用いてイベント１１０に基づく規制時間１１４を決定する。一例において、ＵＥ及びネットワークコンポーネント特性に対する規制時間の複数のオフセットは、仕様書内に列挙され、及び／又は、ルックアップテーブル１０６内に格納される。複数の時間オフセットは、特性ごとに規定され得る。他の例において、メカニズムは、特定のカテゴリがカテゴリ０のように用いられない限り、規制時間１１４としてデフォルト規制時間を用いる。
【００３７】
図２は、複数の変動セル規制時間を用いるように構成され、ユーザ機器内に規制時間決定器を有する通信システム配置２００を示す図である。配置２００は、複数のユーザ機器特性に主に基づいて複数のセル規制時間を決定及び調整する。
【００３８】
配置２００は、ユーザ機器２１２及びネットワークコンポーネント２１０を含む。ネットワークコンポーネント２１０は、基地局、アクセスポイント、ノードＢ、ホームノードＢ等のような無線ネットワークコンポーネントである。ネットワークコンポーネント２１０は、１つ又は複数のセルを制御する。一例において、ネットワークコンポーネント２１０は、３つのセクタに対して割り当てられる３つのセルを含む。他の例において、ネットワークコンポーネント２１０は、２０を超えるセルを含む。それらのセルは、ネットワークコンポーネント２１０とは別の物理的な位置に存在し得ることが理解される。
【００３９】
各セルは、例えば、サポートされる複数の動作周波数、サポートされる複数のＵＥカテゴリ、サポートされる複数の規制時間等を含む関連するシステム情報を有する。サポートされる複数の動作周波数は、セルによりサポートされる複数の周波数の範囲又は帯域を含む。サポートされる複数のＵＥカテゴリは、どのカテゴリのＵＥがサポートされるかを示す。複数のカテゴリは、データレートを含む、性能及び複雑性についての複数のレベルを示す。カテゴリ１２のような、より高いカテゴリは、カテゴリ０のような低いカテゴリよりも、高いデータレートを含む、高い性能及び高い複雑性を有する。カテゴリ０は、低い性能かつ低いデータレートのカテゴリである。サポートされる複数の規制時間は、ユーザ機器２１２により適用され得る、許可された複数の規制時間を示す。サポートされる複数の規制時間は、セルに対する複数の値の範囲及び／又は複数の規制時間の列挙リストを含み得る。
【００４０】
ユーザ機器２１２は、送信／受信（ＴＸ／ＲＸ）回路２０８、規制時間決定器２０４及び制御ユニット２０２を含む。これらのコンポーネントについての更なる説明は、図１に関して上記で見出される。制御ユニット２０２は、セル選択、再選択及び／又はセルの選択を規制することに関連付けられる複数の動作を実行するように構成される。
【００４１】
制御ユニット２０２は、典型的には、ＴＸ／ＲＸ回路２０８から規制理由／情報を受信する。制御ユニット２０２は、いくつか又は全ての規制理由／情報を規制時間決定器２０４に渡す。
【００４２】
規制時間決定器２０４は、規制時間を決定するように構成されており、規制時間は、ユーザ機器２１２が同じセルを要求することが妨げられた又は規制される期間である。システム１００に関して上述したように、この例において、規制時間決定器２０４は、複数のユーザ機器特性に基づいて規制時間を決定するように構成され、規制理由／情報に基づいている。
【００４３】
一例において、規制時間決定器２０４は、セルに対するシステム情報に基づいてサポート又は認められる規制時間のリストを取得する。リスト内の複数の時間のうちの１つがデフォルト時間として選択される。次に、複数のユーザ機器特性に基づいて、デフォルト時間よりも長い、又は、デフォルト時間よりも短いリスト内の別の時間が要求されるセルに対する規制時間として選択され得る。規制時間は、制御ユニット２０２に提供され、制御ユニット２０２は、セルを再要求するまで規制時間の間待つ。
【００４４】
図３は、複数の変動セル規制時間を用いるように構成される通信システム配置３００を示す図である。配置３００は、複数のネットワークコンポーネント特性に主に基づいて複数のセル規制時間を決定及び調整する。
【００４５】
配置３００は、ユーザ機器３１２及びネットワークコンポーネント３１４を含む。ユーザ機器３１２は、移動局、モバイルデバイス等であってよく、かつ、データ、制御、音声等を受信又は伝達すべく、無線通信サービスの加入者又はユーザにより利用されるデバイスである。
【００４６】
ユーザ機器３１２は、上述したユーザ機器２１２として実装され得、又は、上述したユーザ機器２１２に類似し得る。更に、ユーザ機器３１２は、無線デバイス１００内で用いられ得る。概して、ユーザ機器３１２は、ネットワークコンポーネント３１４からセルを選択又は再選択する。ネットワークコンポーネント３１４は、セルに関連する情報、又は、セルに関連付けられる情報を提供する。ユーザ機器は、セル選択が成功又は失敗したかを決定する。成功した場合、要求されるセルは、ユーザ機器３１２により通信に用いられてよい。失敗した場合、これは規制されたとも称されることもできるが、要求されるセルを用いることができず、規制時間が決定される。
【００４７】
この例において、セルが規制される場合、規制コンポーネント３０４は、複数のネットワーク特性に基づいて規制時間を決定又は提供する。規制時間は、ユーザ機器が当該セルを再要求することができない期間である。規制コンポーネント３０４は、ネットワークコンポーネント３１４内に示されるが、ユーザ機器３１２内にもあり得る。
【００４８】
ネットワークコンポーネント３１４は、送信／受信（ＴＸ／ＲＸ）回路３０８、制御ユニット３０２及びネットワークコンポーネント規制時間決定器３０４を含む。ＴＸ／ＲＸ回路３０８は、ユーザ機器３１２を含むがこれに限定されない、他のデバイスの情報を送信及び受信するように構成される。
【００４９】
ユーザ機器３１２からのセル選択に応じて、ＴＸ／ＲＸ回路３０８は、セル選択を制御ユニット３０２に伝達する。セルが利用可能であり、かつ、要求をサポートしている場合、セル選択は成功である。そうでない場合、選択は失敗であり、システム情報及び規制時間を含む応答情報及び／又はイベントが生成される。
【００５０】
制御ユニット３０２は、要求されるセルがユーザ機器をサポートするかどうかを決定すべく、セル選択を分析するように構成される。例えば、ユーザ機器は、複数の周波数帯域のみをサポートする、又は、要求されるセルによりサポートされていないカテゴリのみを要求し得る。
【００５１】
選択を要求されたセルが規制されると、規制時間決定器３０４が呼び出される。規制時間決定器３０４は、規制時間がデフォルト値であるべきか、又は、オフセット量によってデフォルト値から変更されるべきかを決定すべく、複数のネットワーク特性を分析する。決定器３０４は、複数の内部ネットワークアスペクト、セルのサイズ、複数のネットワーク優先度等を含むが、これらに限定されない、複数のネットワークコンポーネント特性に基づいて、規制時間を決定するように構成される。システム１００についての上記の説明は、複数のネットワーク特性に基づいて生成され得る複数の変動規制時間のうちのいくつかの例を提供する。
【００５２】
一例において、セル選択は、第１周波数帯域のためのものである。当該帯域が要求されるセルの範囲外である場合、規制時間は、デフォルト値よりも長くすべくオフセット値により調整される。更に、規制時間決定器３０４は、ユーザ機器３１２の周波数帯域に適合しないネットワークコンポーネントの他のセルを規制するような、追加の規制情報を提供し得る。他の例において、セル選択は、サービスのカテゴリを含む。要求されるサービスのカテゴリが複数のネットワーク特性に基づいてコンポーネント３１４によりサポートされていない場合、より長い規制時間が生成される。
【００５３】
図４Ａ及び４Ｂは、セルを選択又は再選択することに失敗した試みに対して規制時間を決定することについてのより詳細な例を提供する。例が理解を容易にすべく提供されること、及び、他のメカニズム及びアプローチが規制時間を決定することに用いられ得ることが理解される。
【００５４】
図４Ａは、セルによりブロードキャストされるシステム情報がカテゴリ規制時間を含む配置４０１を示す図である。ここで、配置４０１は、ユーザ機器４１２及びネットワークコンポーネント４１０を含む。機器４１２及びコンポーネント４１０に対する更なる詳細が図１−３についての上記の説明に提供される。
【００５５】
ユーザ機器４１２は、通信の目的のためにセルを選択又は再選択することを試みる。ＵＥ４１２は、セルからブロードキャストされたシステム情報を受信する。システム情報コンテンツは、例えば、ＵＥ４１２がカテゴリ０のＵＥであること、かつ、セルがカテゴリ０の複数のＵＥをサポートしていないことをシステム情報が示していることに起因して、ＵＥ４１２が、セルにアクセスすることが許可されていない、又は、規制されていることを示す。ここで、システム情報は、セルがＵＥのカテゴリをサポートしていないことに起因して、当該セルが規制されるものとＵＥ４１２が見なした場合に、ＵＥ４１２により用いられるべき規制時間であるカテゴリ規制時間を含む。この規制時間は、セルによりサポートされていないＵＥのカテゴリに基づく。
【００５６】
ユーザ機器４１２は、カテゴリ規制時間の間待って、セルを選択又は再選択することを再び試みる。代わりに、ユーザ機器４１２は、異なるセルを選択又は再選択することを試みることが可能である。セルがＵＥのカテゴリをサポートしていないということとは異なる理由で、ＵＥ４１２が、セルを規制されるものと見なした場合、次に、ＵＥは、カテゴリ規制時間に従ってセルを規制しないが、デフォルト規制時間に従ってセルを規制する。
【００５７】
図４Ｂは、セルによりブロードキャストされるシステム情報がカテゴリ規制時間を省略する配置４０１を示す図である。配置４０１は、ユーザ機器４１２及びネットワークコンポーネント４１０を含む。機器４１２及びコンポーネント４１０に対する更なる詳細は、図１−３についての上記の説明で提供される。
【００５８】
ユーザ機器４１２は、通信の目的のためにセルを選択又は再選択することを試みる。ＵＥ４１２は、セルからブロードキャストされたシステム情報を受信する。システム情報コンテンツは、例えば、ＵＥがカテゴリ０のＵＥであり、かつ、セルがカテゴリ０の複数のＵＥをサポートしていないことをシステム情報が示すことに起因して、ＵＥがセルにアクセスすることが許可されない、又は、セルにアクセスすることを規制されることを示す。ここで、図４Ａと異なり、システム情報は、カテゴリ規制時間を特定しない。しかしながら、システム情報は、他の情報を含み得る。
【００５９】
ユーザ機器４１２は、複数のネットワークコンポーネント特性及び／又は複数のユーザ機器特性を含む複数の特性に基づいて規制時間を決定する。ユーザ機器４１２は、決定される規制時間の間待って、セルを選択又は再選択することを再び試みることができる。決定される規制時間がデフォルト規制時間であり得ることが理解される。
【００６０】
図５は、ユーザ機器がサポートする複数の周波数を分析することを含む複数の変動規制時間を決定することについての方法５００を示すフロー図である。方法５００は、サポートされるサービスの複数のカテゴリ及びサポートされる複数の周波数を分析しつつ複数の規制時間を決定することについてのより詳細な例として提供される。
【００６１】
ユーザ機器は、特定のユーザ機器のカテゴリ、例えば、カテゴリ０であり、ユーザ機器は、サポートされる複数の周波数のセット内での動作をサポートする。
【００６２】
ブロック５０２で、ユーザ機器は、セルを選択又は再選択することを試みる。選択のためのセルは、典型的に、複数の候補セルのリストから選択される。これらの候補セルは、ユーザ機器によりサポートされる複数の周波数で動作する複数のセルとなるべく、事前に選択され得る。
【００６３】
ブロック５０４で、ユーザ機器は、セル選択又は再選択が成功又は失敗したかを決定する。セル選択が成功したか否かを決定しているときに、ユーザ機器は、セルがユーザ機器をサポートするか否かを決定する。セルが所望のサービス及び／又は特性をサポートしていない場合、セルは、規制され又は失敗する。例えば、ユーザ機器がカテゴリ０であり、かつ、選択されるセルがこの能力を有していない場合、選択は規制され／失敗する。
【００６４】
選択されるセルが規制されない場合、ブロック５１０で、選択は成功し、ユーザ機器は、複数の通信のためにセルを用いることができる。そうでない場合、セルは規制される。
【００６５】
選択されるセルが規制される場合、次に、ユーザ機器は、規制されるセルと同じ周波数の他のセルが選択又は再選択されることを許可される又は認められるかを決定する。ユーザ機器は、システム情報でネットワークによりブロードキャストされる「認められる」又は「認められない」インジケータに基づいてこれを決定してよい。ユーザ機器が同じ周波数上の他のセルを選択又は再選択することが認められない場合、次に、ブロック５１２で、１つ又は複数のセルが再選択の候補として取り除かれる。典型的に、これは、要求されるセルと同じ周波数を有する複数の候補として複数のセルを取り除く。結果として、１つ又は複数のセルによりサポートされていない不必要なセル選択又は再選択の試みが回避される。
【００６６】
ブロック５１６で、１つ又は複数のセルに対する規制時間が決定される。規制時間は、上述した規制時間決定器のコンポーネントのような、コンポーネントにより決定され得る。次に、ブロック５１８で、規制時間は、セル、及び、１つ又は複数のセルに対して設定される。方法５００は、ブロック５０２を継続し、ユーザ機器は、１つ又は複数のセルのいずれかを選択する前に、１つ又は複数のセルに対して決定される規制時間の間待つ。
【００６７】
ブロック５０６で、ユーザ機器が同じ周波数上の他のセルを選択又は再選択することが認められた場合、次に、ブロック５０８で、規制されるセルに対する規制時間が決定される。規制時間は、上述した規制時間決定器のコンポーネントのようなコンポーネントにより決定され得る。
【００６８】
ブロック５１４で、決定される規制時間は、セルに対して設定され、方法は、ブロック５０２に戻り、ここで、ユーザ機器は再びセルを選択又は再選択する前に規制時間の間待つ。
【００６９】
図６は、複数の変動セル規制時間を用いることについての方法６００を示すフロー図である。方法６００は、電力消費を軽減しつつ、実行を促進する複数のセル規制時間を決定する。方法６００は、複数の規制時間を設定又は決定しているときに、複数のユーザ機器特性及び複数のネットワークコンポーネント特性を考慮する。
【００７０】
方法は、ブロック６０２で開始し、ブロック６０２において、ユーザ機器は、ネットワークコンポーネントからセルを選択又は再選択することを試みる。サービスのカテゴリ、サポートされる複数の周波数、ユーザ機器の固定の特性等のようなユーザ機器に関連する情報が、選択又は再選択の試みにおいて考慮されてよい。
【００７１】
ブロック６０４で、ユーザ機器は、セルが規制されるか、又は、規制されるものとして扱われるべきかを決定する。
【００７２】
セルが規制されるか、又は、規制されるものとして扱われるべきである場合、次に、ブロック６０６で、ユーザ機器はセルを規制する。
【００７３】
ブロック６０８で、変動規制時間は、規制時間決定器により要求されるセルに対して生成される。変動規制時間は、上述した規制時間決定器のコンポーネントのようなコンポーネントにより決定され得る。
【００７４】
ブロック６１０で、ユーザ機器は、変動規制時間の間待った後にセルを選択又は再選択する。方法６００は、次にブロック６０４に進み得る。
【００７５】
本明細書に提供される方法は、一連の動作又はイベントとして示され、かつ、説明される一方、本開示は、そのような動作又はイベントについて示される順序によって限定されない。例えば、いくつかの動作は、本明細書に示され及び／又は説明される動作又はイベントとは切り離して、他の動作又はイベントとは異なる順序で、及び／又は、他の動作又はイベントと同時に行われてよい。加えて、全ての示される動作が必要とされるわけではない。更に、本明細書に示される当該動作の１又は複数は、１又は複数の別個の動作又は表現で実行されてよい。
【００７６】
上記のシステム、方法、配置及びコンポーネントは、適宜構成されるハードウェア及び／又はソフトウェアを用いるシステムに実装されてよいことに留意される。図７は、そのようなシステムの例を提供する。
【００７７】
図７は、適宜構成されるハードウェア及び／又はソフトウェアシステム７００の例を示すブロック図である。システム７００は、示されるように、互いに結合される無線周波数（ＲＦ）回路７１４、ベースバンド回路７１２、アプリケーション回路７１０、メモリ／ストレージ７１６、ディスプレイ７０２、カメラ７０４、センサ７０６、及び、入力／出力（Ｉ／Ｏ）インタフェース７０８を含む。
【００７８】
アプリケーション回路７１０は、１又は複数のシングルコア又はマルチコアプロセッサのような回路を含んでよいが、これらに限定されない。（複数の）プロセッサは、汎用プロセッサ及び専用プロセッサ（例えば、グラフィックスプロセッサ、アプリケーションプロセッサ等）の任意の組み合わせを含んでよい。複数のプロセッサは、メモリ／ストレージ７１６と結合されてよく、システム７００上で動作する様々なアプリケーション及び／又はオペレーティングシステムを有効にすべく、メモリ／ストレージ７１６に格納される複数の命令を実行するように構成されてよい。
【００７９】
ベースバンド回路７１２は、１又は複数のシングルコア又はマルチコアプロセッサのような回路を含んでよいが、これらに限定されない。（複数の）プロセッサは、ベースバンドプロセッサを含んでよい。ベースバンド回路７１２は、ＲＦ回路７１４を介した１又は複数の無線のネットワークとの通信を有効にする様々な無線制御機能を処理してよい。当該無線制御機能は、信号変調、エンコード、デコード、無線周波数シフト等を含んでよいが、これらに限定されない。いくつかの実施形態において、ベースバンド回路７１２は、１又は複数の無線技術と互換性を有する通信を提供してよい。例えば、いくつかの実施形態において、ベースバンド回路７１２は、ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ（ＥＵＴＲＡＮ）及び／又は他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートしてよい。いくつか例において、ベースバンド回路７１２は、１より多い無線プロトコルの無線通信をサポートするように構成され、マルチモードベースバンド回路と称され得る。
【００８０】
ベースバンド回路７１２は、ベースバンド周波数内にあるものとして厳密には考慮されない複数の信号と共に動作する回路を含んでよい。例えば、ベースバンド回路７１２は、中間周波数を有する複数の信号と共に動作する回路を含んでよく、中間周波数は、ベースバンド周波数と無線周波数との間にある。
【００８１】
ＲＦ回路７１４は、非固体媒体を介して変調電磁放射を用いる複数の無線ネットワークとの通信を有効にし得る。様々な実施形態において、ＲＦ回路７１４は、無線ネットワークとの通信を促進し得る複数のスイッチ、複数のフィルタ、複数の増幅器等を含んでよい。
【００８２】
ＲＦ回路７１４は、無線周波数内にあるものとして厳密には考慮されない複数の信号と共に動作する回路を含んでよい。例えば、いくつかの実施形態において、ＲＦ回路７１４は、中間周波数を有する複数の信号と共に動作する回路を含んでよく、中間周波数は、ベースバンド周波数と無線周波数との間にある。
【００８３】
ベースバンド回路７１２、アプリケーション回路７１０、及び／又は、メモリ／ストレージ７１６の複数のコンポーネントのうちの構成要素のいくつか又は全てが、システムオンチップ（ＳＯＣ）と共に実装され得ることに留意される。
【００８４】
メモリ／ストレージ７１６は、例えば、システムに対するデータ及び／又は複数の命令をロード及び格納することに用いられ得る。一例として、メモリ／ストレージ７１６は、適切な揮発性メモリ（例えば、ダイナミックランダムアクセスメモリ（ＤＲＡＭ））、及び／又は、不揮発性メモリ（例えば、フラッシュメモリ）の任意の組み合わせを含んでよい。
【００８５】
Ｉ／Ｏインタフェース７０８は、システムとのユーザインタラクトを有効にすべく設計される１又は複数のユーザインタフェース、及び／又は、システムとのペリフェラルコンポーネントインタラクトを有効にすべく設計されるペリフェラルコンポーネントインタフェースを含んでよい。複数のユーザインタフェースは、物理キーボード又はキーパッド、タッチパッド、スピーカ、マイクロフォン等を含んでよいが、これらに限定されない。複数のペリフェラルコンポーネントインタフェースは、不揮発性メモリポート、ユニバーサルシリアルバス（ＵＳＢ）ポート、オーディオジャック、及び、電力供給インタフェースを含んでよいが、これらに限定されない。
【００８６】
センサ７０６は、システムに関連する環境条件及び／又は位置情報を決定する１又は複数のセンシングデバイスを含んでよい。いくつかの実施形態において、（複数の）センサは、ジャイロセンサ、加速度計、近接センサ、環境光センサ及び測位ユニットを含んでよいが、これらに限定されない。測位ユニットは、ポジショニングネットワーク、例えば、グローバルポジショニングシステム（ＧＰＳ）サテライトの複数のコンポーネントと通信するベースバンド回路７１２及び／又はＲＦ回路の一部であってもよく、又は、ベースバンド回路７１２及び／又はＲＦ回路とインタラクトしてもよい。
【００８７】
ディスプレイ７０２は、ディスプレイ（例えば、液晶ディスプレイ、タッチスクリーンディスプレイ等）を含んでよい。
【００８８】
システム７００は、ラップトップコンピューティングデバイス、タブレットコンピューティングデバイス、ネットブック、ウルトラブック、スマートフォン等のようなモバイルコンピューティングデバイスであってよいが、これらに限定されない。様々な実施形態において、システムは、より多くの又はより少ないコンポーネント、及び／又は、異なるアーキテクチャを有してよい。
【００８９】
特許請求の範囲に記載される主題は、ソフトウェア、ファームウェア、ハードウェア又はその任意の組み合わせを生成し、コンピュータを制御して、開示された主題を実装すべく、標準的なプログラミング及び／又はエンジニアリング技法を用いる方法、装置又は製造物品として実装され得ることに留意される（例えば、上記に示されるシステムは、開示される方法及び／又はその変形を実装すべく用いられ得る複数の回路についての非制限的な例である）。本明細書に使用されたように、「製造物品」という用語は、任意のコンピュータ可読デバイス、キャリア又は媒体からアクセス可能なコンピュータプログラムを包含することが意図される。当業者は、開示された主題の範囲又は主旨から逸脱することなく、多くの修正がこの構成に対して行われ得ることを認識するだろう。
【００９０】
本明細書に説明される複数の態様がハードウェア、ソフトウェア、ファームウェア又はその任意の組み合わせによって実装され得ることも理解されるべきである。ソフトウェアに実装されるときに、複数の機能が、コンピュータ可読媒体上の１又は複数の命令又はコードとして格納され、又は、送信され得る。コンピュータ可読媒体は、コンピュータ記憶媒体、及び、ある場所から別の場所へコンピュータプログラムの転送を促進する任意の媒体を含む通信媒体の両方を含む。記憶媒体又はコンピュータ可読記憶デバイスは、汎用コンピュータ又は専用コンピュータによりアクセスされ得る任意の利用可能な媒体であってよい。例として、制限されないが、そのようなコンピュータ可読媒体は、所望の情報又は複数の実行可能命令を搬送又は格納することに用いられ得る、ＲＡＭ、ＲＯＭ、ＥＥＰＲＯＭ、ＣＤ−ＲＯＭ又は他の光ディスクストレージ、磁気ディスクストレージ又は他の磁気記憶デバイス、又は他の有形及び／又は非一時的な媒体を有し得る。また、任意の接続は、コンピュータ可読媒体と適切に称される。例えば、ソフトウェアが、同軸ケーブル、ファイバ光ケーブル、ツイストペア、デジタル加入者線（ＤＳＬ）、又は、赤外線、無線及びマイクロ波のような無線技術を用いて、ウェブサイト、サーバ又は他のリモートソースから送信される場合、次に、同軸ケーブル、ファイバ光ケーブル、ツイストペア、ＤＳＬ又は、赤外線、無線及びマイクロ波のような無線技術は、媒体の定義に含まれる。本明細書に使用されたように、ディスク（ｄｉｓｋ）及びディスク（ｄｉｓｃ）は、コンパクトディスク（ＣＤ）、レーザディスク、光ディスク、デジタル多用途ディスク（ＤＶＤ）、フロッピー（登録商標）ディスク及びブルーレイディスク（登録商標）を含み、ディスク（ｄｉｓｋ）は、磁気的にデータを通常再現する一方、ディスク（ｄｉｓｃ）は、レーザで光学的にデータを再現する。上記の組み合わせは、コンピュータ可読媒体の範囲内にも含まれるべきである。
【００９１】
ソフトウェア実装について、本明細書に説明される複数の技術は、本明細書に説明される複数の機能を実行する複数のモジュール（例えば、複数の手順、複数の機能等）で実装されてよい。複数のソフトウェアコードは、複数のメモリユニットに格納されてよく、複数のプロセッサにより実行されてよい。メモリユニットは、プロセッサ内に実装されてよく、又は、プロセッサの外部に実装されてよく、その場合、メモリユニットは、当技術分野において知られるように、様々な手段を通じてプロセッサに通信可能に結合されてよい。更に、少なくとも１つのプロセッサは、本明細書に説明される複数の機能を実行するように動作可能な１又は複数のモジュールを含んでよい。
【００９２】
更に、本明細書に説明される様々な態様又は特徴は、標準的なプログラミング及び／又はエンジニアリング技法を用いる方法、装置又は製造物品として実装されてよい。上述したように、本明細書に使用されたように、「製造物品」という用語は、任意のコンピュータ可読デバイス、キャリア又は媒体からアクセス可能なコンピュータプログラムを包含することが意図される。例えば、コンピュータ可読媒体は、磁気記憶デバイス（例えば、ハードディスク、フロッピー（登録商標）ディスク、磁気ストライプ等）、光ディスク（例えば、コンパクトディスク（ＣＤ）、デジタル多用途ディスク（ＤＶＤ）等）、スマートカード、及びフラッシュメモリデバイス（例えば、ＥＰＲＯＭ、カード、ステッキ、キードライブ等）を含んでよいが、これらに限定されない。更に、本明細書に説明される様々な記憶媒体は、情報を格納するための１又は複数のデバイス、及び／又は、他の機械可読媒体を表してよい。「機械可読媒体」という用語は、（複数の）命令及び／又はデータを格納し、含み、及び／又は、搬送することが可能な複数の無線チャネル及び他の様々な媒体に制限されることなく含んでよい。更に、コンピュータプログラム製品は、本明細書に説明された複数の機能をコンピュータに実行させるように動作可能な１又は複数の命令又はコードを有するコンピュータ可読媒体を含んでよい。
【００９３】
通信媒体は、変調されたデータ信号、例えば、搬送波又は他のトランスポートメカニズムのようなデータ内の信号における複数のコンピュータ可読命令、複数のデータ構造、複数のプログラムモジュール、若しくは、他の構造化又は非構造化データを具現化し、任意の情報配信又はトランスポート媒体を含む。「変調されたデータ信号」という用語又は信号は、１又は複数の信号内のエンコード情報に関して、そのような態様において設定又は変更された信号の特性のうちの１又は複数を有する信号を指す。例として、制限されないが、通信媒体は、有線ネットワーク又は直接的な有線接続のような有線媒体、及び、アコースティック、ＲＦ、赤外線及び他の無線媒体のような無線媒体を含む。
【００９４】
更に、本明細書に開示された複数の態様に関連して説明される方法又はアルゴリズムの複数の動作は、ハードウェアにおいて、プロセッサにより実行ソフトウェアモジュールにおいて、又は、それらの組み合わせにおいて直接的に具現化されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は、当技術分野で知られる任意の他の記憶媒体の形態に存在してよい。例示的な記憶媒体は、プロセッサが記憶媒体から情報を読み取ることができ、かつ、記憶媒体に情報を書き込むことができるようなプロセッサに結合されてよい。代替的に、記憶媒体は、プロセッサに統合されてよい。更に、いくつかの態様において、プロセッサ及び記憶媒体は、ＡＳＩＣ内に存在してよい。更に、ＡＳＩＣは、ユーザ端末内に存在してよい。代替的に、プロセッサ及び記憶媒体は、ユーザ端末内のディスクリートコンポーネントとして存在してよい。更に、いくつかの態様において、方法又はアルゴリズムについての動作は、機械可読媒体及び／又はコンピュータ可読媒体上の１又は任意の組み合わせ、又は、複数のコード及び／又は複数の命令のセットとして存在してよく、これらは、コンピュータプログラム製品に組み込まれてよい。
【００９５】
複数の実施例は、方法、当該方法についての複数の動作又は複数のブロックを実行するための手段のような主題を含んでよく、複数の命令を含む少なくとも１つの機械可読媒体は、機械により実行されるときに、機械に、本明細書に説明される複数の実施形態及び実施例に従う複数の通信技術を用いて同時に通信を行うための方法又は装置若しくはシステムの複数の動作を実行させる。
【００９６】
実施例１は、複数の変動セル規制時間を有するユーザ機器である。システムは、第１回路、第２回路及び第３回路を含む。第１回路は、セルについてのセル選択を試みて、セルが規制される場合に、セルに関連付けられる規制理由を取得するように構成される。第２回路は、規制理由、及び、１又は複数のシステム特性に少なくとも部分的に基づいて変動規制時間を決定するように構成される。第３回路は、決定される規制時間の間、セルを規制するように構成される。
【００９７】
実施例２は、実施例１の主題を含み、決定される規制時間の間待った後に、第１回路は、セルについてのセル再選択を試みるように更に構成される。
【００９８】
実施例３は、実施例１−２のいずれかの主題を含み、任意の複数の要素を含み又は省略し、規制理由は、セルがユーザ機器のカテゴリをサポートしていないことを含む。
【００９９】
実施例４は、実施例１−３のいずれかの主題を含み、任意の複数の要素を含み又は省略し、決定される規制時間は、予め定められた規制時間よりも長い。
【０１００】
実施例５は、実施例１−４のいずれかの主題を含み、任意の複数の要素を含み又は省略し、規制理由は、ユーザ機器がカテゴリ０で動作し、かつ、セルがカテゴリ０をサポートしていないことを含む。
【０１０１】
実施例６は、実施例１−５のいずれかの主題を含み、任意の複数の要素を含み又は省略し、１又は複数のシステム特性は、ユーザ機器が公共の安全デバイスであることを含む。
【０１０２】
実施例７は、実施例１−６のいずれかの主題を含み、任意の複数の要素を含み又は省略する。
【０１０３】
実施例８は、実施例１−７のいずれかの主題を含み、任意の複数の要素を含み又は省略し、１又は複数のシステム特性は、複数のユーザ機器特性及び複数のネットワークコンポーネント特性を含む。
【０１０４】
実施例９は、実施例１−８のいずれかの主題を含み、任意の複数の要素を含み又は省略し、１又は複数のシステム特性は、固定の特性を含む。
【０１０５】
実施例１０は、実施例１−９の主題を含み、１又は複数のシステム特性は、ユーザ機器に対するサービスのカテゴリを含む。
【０１０６】
実施例１１は、例１−１０のいずれかの主題を含み、任意の複数の要素を含み又は省略し、１又は複数のシステム特性がユーザ機器のモビリティ状態を含む。
【０１０７】
実施例１２は、実施例１−１１のいずれかの主題を含み、任意の複数の要素を含み又は省略し、複数のオフセットを格納するように構成されるルックアップテーブルを更に備え、第２回路は、参照として１又は複数のシステム特性を用いてルックアップテーブルからオフセットを取得する。
【０１０８】
実施例１３は、複数の変動セル規制時間を有する通信システムである。システムは、回路、制御ユニット及び規制時間決定器を含む。回路は、無線ネットワークコンポーネントから複数のネットワーク特性を受信するように構成される。制御ユニットは、セルについてのセル選択を試みるように構成される。規制時間決定器は、セルが規制される場合に、複数のネットワーク特性に少なくとも部分的に基づいて変動規制時間を生成するように構成される。
【０１０９】
実施例１４は、実施例１３の主題を含み、任意の複数の要素を含み又は省略し、複数のネットワーク特性は、ユーザ機器のカテゴリがサポートされていないことを示す。
【０１１０】
実施例１５は、実施例１３−１４のいずれかの主題を含み、任意の複数の要素を含み又は省略し、複数のネットワーク特性は、ユーザ機器の動作周波数が無線ネットワークコンポーネントによりサポートされていないことを示す。
【０１１１】
実施例１６は、実施例１３−１５のいずれかの主題を含み、任意の複数の要素を含み又は省略し、回路は、認められる複数の規制時間の列挙リストを含むシステム情報を受信するように構成される。
【０１１２】
実施例１７は、実施例１３−１６のいずれかの主題を含み、任意の複数の要素を含み又は省略し、変動規制時間は、複数のネットワーク特性内で特定されるデフォルト値のネットワーク値より小さい。
【０１１３】
実施例１８は、コンピュータ可読記憶デバイスである。デバイスは、複数の実行可能命令を格納し、実行に応じて、プロセッサを備えるシステムに複数の動作を実行させる。複数の動作は以下の動作を含み、ユーザ機器がセルを選択することを試みる。セルを規制するか否かが決定される。セルを規制する場合に、規制情報が生成される。複数のユーザ機器特性及び規制情報に基づいて、変動規制時間が生成される。
【０１１４】
実施例１９は、実施例１８の主題を含み、任意の複数の要素を含み又は省略し、ユーザ機器は、関連するユーザ機器のカテゴリを有する。
【０１１５】
実施例２０は、実施例１８−１９のいずれかの主題を含み、任意の複数の要素を含み又は省略し、応答情報は、無線ネットワークコンポーネントに関連するシステム情報を含む。
【０１１６】
実施例２１は、回路を備えるユーザ機器である。回路は、通信のためのセルを選択することを試みる。回路は、セルを規制するか否かを決定する。セルが規制される場合、回路は、規制情報を決定する。更に、回路は、複数のユーザ機器特性及び規制情報に基づいて変動規制時間を生成する。
【０１１７】
実施例２２は、実施例２１のいずれかの主題を含み、任意の複数の要素を含み又は省略し、セルを選択するための試みは、関連するユーザ機器のカテゴリを有する。
【０１１８】
実施例２３は、実施例２１−２２のいずれかの主題を含み、任意の複数の要素を含み又は省略し、応答情報は、システム情報を含む。
【０１１９】
本開示の複数の実施形態が１又は複数の実装に対して示され、かつ、説明されてきたが、複数の変更及び／又は複数の修正が添付の特許請求の範囲の主旨及び範囲から逸脱することなく示される複数の例に対して行われてよい。例えば、本明細書に説明される送信回路／システムは、送信機回路として示されてきたが、当業者は、本明細書に提供される複数の実施形態が送受信器回路に同様に適用されてよいことを理解するだろう。
【０１２０】
更に、特に、上記で説明される複数のコンポーネント又は複数の構造（アセンブリ、デバイス、回路、システム等）により実行される様々な機能に関して、たとえ、例示的な複数の実装が示される本明細書における機能を実行する開示された構造と構造上同義でないとしても、そのような複数のコンポーネントを説明するのに用いられる（「手段」に対する参照を含む）用語は、説明されるコンポーネントの特定の機能（例えば、機能的に同義である）を実行する任意のコンポーネント又は構造に、特段の指示がない限り、対応することが意図される。コンポーネント又は構造は、様々な機能の少なくとも一部を実行すべく、複数の命令を実行するプロセッサを含む。加えて、特定の特徴がいくつかの実装のうちの１つのみに関して開示されてきたかもしれないが、そのような特徴は、いずれか所与の又は特定の用途に対して望まれかつ有利であり得るように、他の実装の１又は複数の他の特徴と組み合わせられてよい。
【０１２１】
更に、「含む（ｉｎｃｌｕｄｉｎｇ）」、「含む（ｉｎｃｌｕｄｅｓ）」、「有する（ｈａｖｉｎｇ）」、「有する（ｈａｓ）」、「有する（ｗｉｔｈ）」という用語又はそれらの異形が発明を実施するための形態及び特許請求の範囲のいずれかで用いられる範囲において、そのような用語は、「備える（ｃｏｍｐｒｉｓｉｎｇ）」という用語に類似する態様に含まれることが意図される。
［項目１］
複数の変動セル規制時間を有するユーザ機器であって、
セルについてのセル選択を試みて、上記セルが規制される場合に、上記セルに関連付けられる規制理由を取得するように構成される第１回路と、
上記規制理由、及び、１又は複数のシステム特性に少なくとも部分的に基づいて変動規制時間を決定するように構成される第２回路と、
上記決定される規制時間の間、上記セルを規制するように構成される第３回路と
を備えるユーザ機器。
［項目２］
上記第１回路は、上記決定される規制時間の間待った後に、上記セルについてのセル再選択を試みるように更に構成される、項目１に記載のユーザ機器。
［項目３］
上記規制理由は、上記セルが上記ユーザ機器のカテゴリをサポートしていないことを含む、項目１に記載のユーザ機器。
［項目４］
上記決定される規制時間は、予め定められた規制時間よりも長い、項目１に記載のユーザ機器。
［項目５］
上記規制理由は、上記ユーザ機器がカテゴリ０で動作し、かつ、上記セルが上記カテゴリ０をサポートしていないことを含む、項目１に記載のユーザ機器。
［項目６］
上記１又は複数のシステム特性は、上記ユーザ機器が公共の安全デバイスであることを含む、項目１から５のいずれか一項に記載のユーザ機器。
［項目７］
上記決定される規制時間は、予め定められた規制時間よりも短い、項目１から５のいずれか一項に記載のユーザ機器。
［項目８］
上記システム特性は、複数のユーザ機器特性及び複数のネットワークコンポーネント特性を含む、項目１から５のいずれか一項に記載のユーザ機器。
［項目９］
上記システム特性は、複数の固定の特性を含む、項目１から５のいずれか一項に記載のユーザ機器。
［項目１０］
上記システム特性は、上記ユーザ機器に対するサービスのカテゴリを含む、項目１から５のいずれか一項に記載のユーザ機器。
［項目１１］
上記システム特性は、上記ユーザ機器のモビリティ状態を含む、項目１から５のいずれか一項に記載のユーザ機器。
［項目１２］
複数のオフセットを格納するように構成されるルックアップテーブルを更に備え、
上記第２回路は、参照として上記システム特性を用いて上記ルックアップテーブルから上記オフセットを取得する、項目１から５のいずれか一項に記載のユーザ機器。
［項目１３］
複数の変動セル規制時間を有する通信システムであって、
無線ネットワークコンポーネントから複数のネットワーク特性を受信するように構成される回路と、
セルについてのセル選択を試みるように構成される制御ユニットと、
上記セルが規制される場合に、上記複数のネットワーク特性に少なくとも部分的に基づいて変動規制時間を生成するように構成される規制時間決定器と
を備えるシステム。
［項目１４］
上記複数のネットワーク特性は、ユーザ機器のカテゴリがサポートされていないことを示す、項目１３に記載のシステム。
［項目１５］
上記複数のネットワーク特性は、ユーザ機器の動作周波数が上記無線ネットワークコンポーネントによりサポートされていないことを示す、項目１３に記載のシステム。
［項目１６］
上記回路は、認められる複数の規制時間の列挙リストを含むシステム情報を受信するように構成される、項目１３から１５のいずれか一項に記載のシステム。
［項目１７］
上記変動規制時間は、上記複数のネットワーク特性内で特定されるデフォルト値のネットワーク値より小さい、項目１３から１５のいずれか一項に記載のシステム。
［項目１８］
複数の実行可能命令を格納するコンピュータ可読記憶デバイスであって、実行に応じて、プロセッサを備えるシステムに、
ユーザ機器によりセルを選択することを試みる手順と、
上記セルを規制するか否かを決定する手順と、
上記セルを規制する場合に、規制情報を生成する手順と、
複数のユーザ機器特性及び上記規制情報に基づいて変動規制時間を生成する手順と
を有する複数の動作を実行させる、コンピュータ可読記憶デバイス。
［項目１９］
上記ユーザ機器は、関連するユーザ機器のカテゴリを有する、項目１８に記載のコンピュータ可読記憶デバイス。
［項目２０］
上記応答情報は、無線ネットワークコンポーネントに関連するシステム情報を含む、項目１８又は１９に記載のコンピュータ可読記憶デバイス。
［項目２１］
通信のためのセルを選択することを試み、
上記セルを規制するか否かを決定し、
上記セルが規制される場合、規制情報を決定し、
複数のユーザ機器特性及び上記規制情報に基づいて変動規制時間を生成する
処理回路を備えるユーザ機器。
［項目２２］
上記セルを選択するための上記試みは、関連するユーザ機器のカテゴリを有する、項目２１に記載の回路。
［項目２３］
上記応答情報は、システム情報を含む、項目２０又は２１に記載の回路。
【図１】
0006391072.tif 000002
【図２】
0006391072.tif 000003
【図３】
0006391072.tif 000004
【図４Ａ】
0006391072.tif 000005
【図４Ｂ】
0006391072.tif 000006
【図５】
0006391072.tif 000007
【図６】
0006391072.tif 000008
【図７】
0006391072.tif 000009